(57)【要約】【課題】煩雑な手間を不要として容易にかご枠へ乗込み可能であるとともに、安全を確保できるエレベータの据付装置を提供する。【解決手段】  かご枠５に設けられガイドレール４を把持する把持装置４０と、揚重装置７の駆動および停止操作を行う操作スイッチ２０と、把持装置４０および操作スイッチ２０と通信線を介して接続され、操作スイッチ２０の駆動操作に応じて把持装置４０へ把持を解除するよう指令すると共に揚重装置７へ駆動を指令し、操作スイッチ２０の停止操作に応じて揚重装置７へ停止を指令すると共に把持装置４０へガイドレール４の把持指令を行う制御盤１０を有しているため、かご枠５への乗込み時には、揚重装置７が停止し把持装置４０はガイドレール４を把持して落下防止を行っていることから、安全を確保した状態で煩雑な手間を要することなく容易にかご枠５へ乗込むことが可能である。【選択図】図１
2005126178.tif 000002
【特許請求の範囲】
【請求項１】
揚重装置と、この揚重装置に駆動される揚重ロープと連結されるとともに前記揚重装置の駆動により昇降路内をガイドレールに案内されて昇降するかご枠とから成るエレベータの据付装置において、
前記かご枠に設けられ前記ガイドレールを把持する把持装置と、前記揚重装置の駆動および停止操作を行う操作スイッチと、前記把持装置および操作スイッチと通信線を介して接続され、前記操作スイッチの駆動操作に応じて前記把持装置へ把持を解除するよう指令すると共に前記揚重装置へ駆動を指令し、前記操作スイッチの停止操作に応じて前記揚重装置へ停止を指令すると共に前記把持装置へガイドレールの把持指令を行う制御盤を有して成ることを特徴とするエレベータの据付装置。
【請求項２】
揚重装置と、この揚重装置に駆動される揚重ロ−プと連結されるとともに前記揚重装置の駆動により昇降路内をガイドレールに案内されて昇降するかご枠とから成るエレベータの据付装置において、
前記かご枠に設けられ前記ガイドレールを把持する把持装置と、この把持装置の把持状態および把持解除状態の駆動を行う油圧装置と、前記揚重装置の駆動および停止操作を行う操作スイッチと、
前記油圧装置および操作スイッチと通信線を介して接続され、前記操作スイッチの駆動操作に応じて前記油圧装置に駆動指令を与えて把持装置の把持を解除すると共に前記揚重装置へ駆動を指令し、前記操作スイッチの停止操作に応じて揚重装置へ停止を指令すると共に前記油圧装置に停止を指令して前記把持装置によりガイドレールを把持させるよう制御する制御盤を有して成ることを特徴とするエレベータの据付装置。
【発明の詳細な説明】
【技術分野】
【０００１】
エレベータの据付装置に関する。
【背景技術】
【０００２】
従来において、かご枠を揚重装置により揚重して昇降路内を昇降させ、このかご枠を作業床として据付作業を行うものが提案されていた（特許文献１参照）。
【０００３】
この特許文献１に記載の従来技術は、かご枠への作業者の乗込み時には、受雇いをガイドレールに取付けてかご枠の落下を防止する構成であった。
【特許文献１】特開平１０−１６７６１１号（段落番号００２６〜００３３，図４〜６）
【発明の開示】
【発明が解決しようとする課題】
【０００４】
しかし上記従来技術によれば、かご枠への作業者の乗込み時には、受雇いにて落下防止せねばならないことから、予めその位置に受雇いを取付けておくなどの煩雑な手間を要するといった不都合があった。
【０００５】
本発明は上記不都合を解消するためになされたもので、その目的は、煩雑な手間を不要として容易にかご枠へ乗込み可能であるとともに、安全を確保できるエレベータの据付装置を提供するにある。
【課題を解決するための手段】
【０００６】
本発明は上記目的を達成するために、揚重装置と、この揚重装置に駆動される揚重ロープと連結されるとともに前記揚重装置の駆動により昇降路内をガイドレールに案内されて昇降するかご枠とから成るエレベータの据付装置において、前記かご枠に設けられ前記ガイドレールを把持する把持装置と、前記揚重装置の駆動および停止操作を行う操作スイッチと、前記把持装置および操作スイッチと通信線を介して接続され、前記操作スイッチの駆動操作に応じて前記把持装置へ把持を解除するよう指令すると共に前記揚重装置へ駆動を指令し、前記操作スイッチの停止操作に応じて前記揚重装置へ停止を指令すると共に前記把持装置へガイドレールの把持指令を行う制御盤を有して成ることを特徴とする。
【０００７】
本発明によれば、かご枠への乗込み時には、揚重装置が停止し把持装置はガイドレールを把持して落下防止を行っていることから、安全を確保した状態で煩雑な手間を要することなく容易にかご枠へ乗込むことが可能である。
【発明の効果】
【０００８】
本発明のエレベータの据付装置は、煩雑な手間を不要として、安全を確保した状態で容易にかご枠へ乗込み可能である。
【発明を実施するための最良の形態】
【０００９】
以下、本発明の実施形態を図に基づいて説明する。
【００１０】
図１は本発明の一実施形態であるエレベータの据付装置を示す昇降路側面図、図２は本発明の一実施形態であるエレベータの据付装置を示す昇降路正面図、図３は本発明の一実施形態である把持装置の正面図、図４は本発明の一実施形態である把持装置の側断面図、図５はエレベータの据付装置の動作手順を示すフローチャートである。
【００１１】
図１、２において、１は昇降路、２は昇降路頂部、３は前記昇降路頂部に設けられた吊り金具である。このように昇降路１の上方に機械室のないエレベータの据付手順の一例としては、まず最上階のホールより跳ね出し足場８を設置した後、前記跳ね出し足場８に乗り込み、エレベータの据付基準となる図示しないピアノ線を設置する。次いで前記吊り金具３に揚重装置７を設置し一連のガイドレール４を吊上げ、図示しない固定金具にて一連のガイドレール４の上下端を固定した後、本設品であるかご枠５を前記ガイドレール４に案内されるように組立てる。その後、前記揚重装置７に駆動される揚重ロープ７ａと前記かご枠５を連結することで、前記揚重装置７の駆動により昇降路１内をガイドレール４に案内されてかご枠５が昇降可能とする。
【００１２】
このような状態において、本発明の一実施の形態であるエレベータの据付装置は、前記かご枠５に、前記ガイドレール４を把持する把持装置４０と、前記揚重装置７の駆動および停止操作を行う操作スイッチ２０と、前記把持装置４０および操作スイッチ２０と通信線１３を介して接続され、前記操作スイッチ２０の駆動操作に応じて前記把持装置４０へ把持を解除するよう指令すると共に前記揚重装置７へ駆動を指令し、前記操作スイッチ２０の停止操作に応じて前記揚重装置７へ停止を指令すると共に前記把持装置４０へガイドレール４の把持指令を行う制御盤１０、及びガイドレール４を把持する把持装置４０の把持状態および把持解除状態の駆動を行う油圧装置３０とで構成されている。
【００１３】
そしてこの油圧装置３０は、前記操作スイッチ２０と通信線１２を介して前記制御盤１０に接続され、前記制御盤１０は、前記操作スイッチ２０の駆動操作に応じて前記油圧装置３０に駆動指令を与えて前記把持装置４０の把持を解除すると共に前記揚重装置７へ駆動を指令し、前記操作スイッチ２０の停止操作に応じて前記揚重装置７へ停止を指令すると共に前記油圧装置３０に停止を指令して前記把持装置４０によりガイドレール４を把持させるような制御となっている。
【００１４】
次に図３、４において前記把持装置４０の構造について説明する。把持装置４０は、前記ガイドレール４を把持するウェッジ４１、図４におけるシリンダー４３内で、プランジャー４４を押し上げるバネ４２とから主に構成され、前記バネ４２により前記ウェッジ４１を常にガイドレール４を把持する方向に力を与える構造となっている。そして前記把持装置４０には前記油圧装置３０と接続される油圧ホース３１が備えられており、前記シリンダー４３内に図示しない油を送り込むことで、前記ウェッジ４１を押し下げて前記ガイドレール４の把持を解除する構成となっている。
【００１５】
以上のようなエレベータの据付装置において、次にエレベータの据付手順について図１、２、５により説明する。
【００１６】
まずＳ１〜Ｓ３において据付作業員９はエレベータホールにて、前記かご枠５を前記昇降路１を昇降させるべく、前記操作スイッチ２０を操作し、前記制御盤１０に上昇または下降の動作指令を行う。
【００１７】
次いでＳ４〜Ｓ７において前記制御盤１０の動作指令により前記油圧装置３０が駆動することにより、前記把持装置４０がガイドレール４の把持を解除するとともに、前記揚重装置７が動作することで、前記かご枠５が昇降する。そしてＳ８にて図示しないエレベータ機器の取付作業位置まで移動したなら、Ｓ９にて前記据付作業員９は前記操作スイッチ２０の操作を停止することで、Ｓ１０の前記制御盤１０の停止指令によりＳ１１〜Ｓ１４の動作にて、Ｓ１５の前記かご枠５がガイドレール４に固定された状態となる。このような状態にて、Ｓ１６にて前記据付作業員９は前記かご枠５、またはかご枠５の上方に設置した作業床６に乗り込み、エレベータ機器の取付作業を実施する。そして順次Ｓ１〜Ｓ１６を繰り返すことで前記昇降路１内のエレベータ機器の据付を実施していく。
【００１８】
以上説明したように、本発明によれば、前記揚重装置７の駆動により昇降路内１をガイドレール４に案内されて昇降するかご枠５に、前記ガイドレール４を把持する把持装置４０と、前記揚重装置７の駆動および停止操作を行う操作スイッチ２０と、前記把持装置４０および操作スイッチ２０と通信線１３を介して接続され、前記操作スイッチ２０の駆動操作に応じて前記把持装置４０へ把持を解除するよう指令すると共に前記揚重装置７へ駆動を指令し、前記操作スイッチ２０の停止操作に応じて前記揚重装置７へ停止を指令すると共に前記把持装置４０へガイドレール４の把持指令を行う制御盤１０から構成したことで、かご枠５への乗込み時には、揚重装置７が停止し把持装置４０はガイドレール４を把持して落下防止を行っていることから、安全を確保した状態で煩雑な手間を要することなく容易にかご枠５へ乗込むことが可能である。
【図面の簡単な説明】
【００１９】
【図１】本発明の一実施形態であるエレベータの据付装置を示す昇降路側面図である。
【図２】本発明の一実施形態であるエレベータの据付装置を示す昇降路正面図である。
【図３】本発明の一実施形態である把持装置の正面図である。
【図４】本発明の一実施形態である把持装置の側断面図である。
【図５】エレベータの据付装置の動作手順を示すフローチャートである。
【符号の説明】
【００２０】
１  昇降路
２  昇降路頂部
３  吊り金具
４  ガイドレール
５  かご枠
６  作業床
７  揚重装置
７ａ  揚重ロープ
８  跳ね出し足場
９  据付作業員
１０  制御盤
１１  通信線
１２  通信線
１３  通信線
２０  操作スイッチ
３０  油圧装置
３１  油圧ホース
４０  把持装置
４１  ウェッジ
４２  バネ
４３  シリンダー
４４  プランジャー
５０  本設の非常止装置
【図１】
2005126178.tif 000003
【図２】
2005126178.tif 000004
【図３】
2005126178.tif 000005
【図４】
2005126178.tif 000006
【図５】
2005126178.tif 000007